(57)【要約】【課題】  ブランケットが洪水で壊れにくい河川敷のブランケット構造を得る。【解決手段】  ブランケット５を設ける河川敷３の区域に所定の深さで窪み区域７を設ける。窪み区域７の底部上に複数の粘土層ブロック９を１層構造で敷き詰める。各粘土層ブロック９のそれぞれの上に１以上の草本植物ブロック１５を敷設する。草本植物ブロック１５は、根１９ａが外部に延び出る構造を有する植設マット１７に、草本植物１９を植えて構成する。【選択図】    図２
2007154476.tif 000002
【特許請求の範囲】
【請求項１】
堤防の表法に面した河川敷の表面の所定の区域にブランケットを設けて前記堤防を補強する河川敷のブランケット構造であって、
前記ブランケットを設ける前記河川敷の前記所定の区域に前記ブランケットの高さに相当する深さを有する窪み区域が設けられ、
前記窪み区域の底部上に所定の大きさの複数の粘土層ブロックが、１層構造で敷き詰められ、
前記複数の粘土層ブロックのそれぞれの上に１以上の草本植物ブロックが敷設され、
前記草本植物ブロックは、通水性を有し且つ根が外部に延び出る構造を有する植設マットに草本植物が植えられて構成され、
前記粘土層ブロックは、通水性を有する多孔性補強シートからなる包囲材によって粘土層が全体的に覆われた構造を有し、
前記多孔性補強シートは、前記草本植物ブロックの前記植設マットから延び出た草本植物の根が、前記包囲材の内部に入り込むことを許容する構造を有していることを特徴とする河川敷のブランケット構造。
【請求項２】
前記粘土層ブロックの前記粘土層の厚み方向における所定の位置には、ベントナイト層が前記粘土層を横切って設けられていることを特徴とする請求項１に記載の河川敷のブランケット構造。
【請求項３】
前記多孔性補強シートは、合成繊維の織布、合成繊維の不織布または合成繊維によって構成された網状シートからなる請求項１に記載の河川敷のブランケット構造。
【請求項４】
堤防の表法に面した河川敷の表面の所定の区域にブランケットを設けて前記堤防を補強する河川敷のブランケット工法であって、
前記ブランケットを設ける前記河川敷の前記所定の区域に前記ブランケットの高さに相当する深さを有する窪み区域を設け、該窪み区域の底部の所定の位置上に多孔性補強シートから構成された有底の包囲材を開口状態で配置し、前記多孔性補強シートの中に粘土層を通水しないように詰め、前記粘土層の表面を前記包囲材の閉塞部分で覆って粘土層ブロックを構成し、このように構成した多数の前記粘土層ブロックで前記窪み区域を塞ぎ、
前記各粘土層ブロックの上に、通水性を有し且つ根が外部に延び出る構造を有する植設マットに草本食物が植えられて構成された１以上の草本植物ブロックを敷設し、
前記草本植物ブロックの前記植設マットから延び出た前記草本植物の根を、前記多孔性補強シートを通過させて前記包囲材の内部に入り込ませることを特徴とする河川敷のブランケット工法。
【請求項５】
前記多孔性補強シートの中に前記粘土層を詰める際に、該粘土層の厚み方向における所定の位置にベントナイト層を前記粘土層を横切って設けることを特徴とする請求項４に記載の河川敷のブランケット工法。
【発明の詳細な説明】
【技術分野】
【０００１】
本発明は、堤防の表法に面した河川敷の表面の所定の区域にブランケットを設けて堤防を補強する河川敷のブランケット構造及びこれを構築する河川敷のブランケット工法に関するものである。
【背景技術】
【０００２】
従来、堤防の表法に面した河川敷の表面の所定の区域にブランケットを設けて堤防を補強する河川敷のブランケット構造は、堤防の表法（おもてのり）に面した河川敷の表面の所定の区域を難透水性材料（主として土質材料）で被覆した構造になっている（例えば、非特許文献１参照。）。
【０００３】
ブランケットとして土質材料を用いた場合は、洗掘防止のため厚さは５０ｃｍ以上とし、張芝で被覆している。このような構造のブランケット長は、堤防から３０ｍ以上あると効果が期待できるとされている。
【０００４】
このようにブランケットを設けると、堤防の表法に面した河川敷の表面の浸透路長が延伸されて基礎基盤の浸透圧が低減され、堤防の裏法（うらのり）尻での浸透に対する安全性を向上させることができる。
【非特許文献１】「中小河川における堤防点検・対策の手引き」、Ｐ６９〜Ｐ７０、財団法人国土技術研究センター、平成１６年１１月、ＪＩＣＥ資料第１０４００６号
【発明の開示】
【発明が解決しようとする課題】
【０００５】
しかしながら、従来のブランケットの構造では、洪水になると河川に近い側のブランケットの部分の芝が流れ、その下の土質材料が流水で削られ、このような現象がだんだんと堤防側に拡大され、ついには堤防が破壊される問題点があった。
【０００６】
本発明の目的は、ブランケットが洪水で壊れにくい河川敷のブランケット構造を提供することにある。
【０００７】
本発明の他の目的は、洪水で壊れにくいブランケットを容易に製造できる河川敷のブランケット工法を提供することにある。
【課題を解決するための手段】
【０００８】
上記の目的を達成する本発明の構成を説明すると、次のとおりである。
【０００９】
本発明は、堤防の表法に面した河川敷の表面の所定の区域にブランケットを設けて堤防を補強する河川敷のブランケット構造である。
【００１０】
本発明に係る河川敷のブランケット構造では、ブランケットを設ける河川敷の所定の区域にブランケットの高さに相当する深さを有する窪み区域が設けられている。窪み区域の底部上に所定の大きさの複数の粘土層ブロックが、１層構造で敷き詰められている。複数の粘土層ブロックのそれぞれの上に１以上の草本植物ブロックが敷設されている。草本植物ブロックは、通水性を有し且つ根が外部に延び出る構造を有する植設マットに草本植物が植えられて構成されている。粘土層ブロックは、通水性を有する多孔性補強シートからなる包囲材によって粘土層が全体的に覆われた構造を有している。多孔性補強シートは、草本植物ブロックの植設マットから延び出た草本植物の根が、包囲材の内部に入り込むことを許容する構造を有している。
【００１１】
このような構造にすると、洪水時には草本植物ブロックが通水性を有し且つ根が外部に延び出る構造を有する植設マットに草本植物を植えた構造で壊れ難く、また草本植物ブロックの各根が粘土層ブロックの包囲材の内部に入り込んで絡まって流出し難く、一方、粘土層ブロックは粘土層の表面を多孔性補強シートからなる包囲材によって粘土層を全体的に覆っていて粘土層が流出し難く、このためブランケットを洪水で壊れ難くすることができる。また、ある粘土層ブロックが壊されて流出しても、その部分に新たな粘土層ブロックを設置し、その上に草本植物ブロックを設置すれば、修復を部分的に容易に行うことができ、工期の短縮を図ることができる。
【００１２】
粘土層ブロックの粘土層の厚み方向における所定の位置にベントナイト層を、粘土層を横切って設けると、通水性のない粘土層を容易に形成することができる。
【００１３】
多孔性補強シートが、合成繊維の織布、合成繊維の不織布または合成繊維によって構成された網状シートからなっていると、機械的強度があって草本植物の根が通る多孔性補強シートを容易に入手することができる。
【００１４】
次に本発明は、堤防の表法に面した河川敷の表面の所定の区域にブランケットを設けて堤防を補強する河川敷のブランケット工法である。
【００１５】
本発明に係る河川敷のブランケット工法では、ブランケットを設ける河川敷の所定の区域にブランケットの高さに相当する深さを有する窪み区域を設ける。該窪み区域の底部の所定の位置上に、多孔性補強シートから構成された有底の包囲材を開口状態で配置する。多孔性補強シートの中に粘土層を通水しないように詰め、粘土層の表面を包囲材の閉塞部分で覆って粘土層ブロックを構成する。このように構成した多数の粘土層ブロックで窪み区域を塞ぐ。各粘土層ブロックの上に、通水性を有し且つ根が外部に延び出る構造を有する植設マットに草本食物を植えて構成した１以上の草本植物ブロックを敷設する。草本植物ブロックの植設マットから延び出た草本植物の根を、多孔性補強シートを通過させて包囲材の内部に入り込ませる。このようにしてブランケットを設けると、洪水で壊れにくいブランケットを容易に製造することができる。
【００１６】
多孔性補強シートの中に粘土層を詰める際に、該粘土層の厚み方向における所定の位置にベントナイト層を、粘土層を横切って設けると、通水性のない粘土層を容易に形成することができる。
【発明の効果】
【００１７】
本発明に係る河川敷のブランケット構造では、洪水時には草本植物ブロックが通水性を有し且つ根が外部に延び出る構造を有する植設マットに草本植物を植えた構造で壊れ難く、また草本植物ブロックの各根が粘土層ブロックの包囲材の内部に入り込んで絡まって流出し難く、一方、粘土層ブロックは粘土層の表面を多孔性補強シートからなる包囲材によって粘土層を全体的に覆っていて粘土層が流出し難く、このためブランケットを洪水で壊れ難くすることができる。また、ある粘土層ブロックが壊されて流出しても、その部分に新たな粘土層ブロックを設置し、その上に草本植物ブロックを設置すれば、修復を部分的に容易に行うことができ、工期の短縮を図ることができる。
【００１８】
本発明に係る河川敷のブランケット工法では、ブランケットを設ける河川敷の所定の区域にブランケットの高さに相当する深さを有する窪み区域を設け、該窪み区域の底部の所定の位置上に、多孔性補強シートから構成した有底の包囲材を開口状態で配置し、多孔性補強シートの中に粘土層を通水しないように詰め、粘土層の表面を包囲材の閉塞部分で覆って粘土層ブロックを構成し、このように構成した多数の粘土層ブロックで窪み区域を塞ぎ、各粘土層ブロックの上に、通水性を有し且つ根が外部に延び出る構造を有する植設マットに草本食物を植えて構成した１以上の草本植物ブロックを敷設し、草本植物ブロックの植設マットから延び出た草本植物の根を、多孔性補強シートを通過させて包囲材の内部に入り込ませるので、洪水で壊れにくいブランケットを容易に製造することができる。
【発明を実施するための最良の形態】
【００１９】
本発明に係る河川敷のブランケット構造とこれを構成する河川敷のブランケット工法を実施するための最良の形態の一例を、図１乃至図６を参照して詳細に説明する。ここで、図１は本例の河川敷のブランケット構造の断面図、図２は本例の河川敷のブランケット構造の斜視図、図３（Ａ）（Ｂ）は本例で用いている粘土層ブロックで粘土層を開口した包囲材の中に入れて閉塞部分で蓋をする前と蓋をした後の斜視図、図４は本例で用いている粘土層ブロックを部分的に破断して示した斜視図、図５は本例で用いている草本植物ブロックの斜視図、図６は粘土層の他の例を示した縦断面図である。
【００２０】
本例の河川敷のブランケット構造では、図１及び図２に示すように、堤防１の表法１ａに面した河川敷３の表面の所定の区域にブランケット５を設けて堤防１を補強する。
【００２１】
本例では、図１に示したように、ブランケット５を設ける河川敷３の区域にブランケット５の高さに相当する深さを有する窪み区域７が設けられている。本例の河川敷３は、表面側が、難透水層３ａの上に、礫質層や砂質層からなる透水層３ｂが設けられた構造になっている。
【００２２】
窪み区域７の底部上に所定の大きさの複数の粘土層ブロック９が、図１及び図２に示すように、１層構造で敷き詰められている。本例の粘土層ブロック９は、図１及び図２に示すように、所定の大きさで底面と上面が正四角形をしている。底面と上面が正四角形の粘土層ブロック９は、その一辺が例えば５ｍとか１０ｍ程度の寸法である。複数の粘土層ブロック９のそれぞれの上に１以上の草本植物ブロック１５が敷設されている。草本植物ブロック１５は、図５に示すように、通水性を有し且つ根１９ａが外部に延び出る構造を有する植設マット１７に、芝や芦等の茎が木のようになっていない草本植物１９が植えられて構成されている。このような草本植物ブロック１５は、１ブロックで粘土層ブロック９を覆う大きさであってもよく、複数ブロックで粘土層ブロック９を覆う大きさであってもよい。
【００２３】
粘土層ブロック９は、図２乃至図４に示すように、通水性を有する多孔性補強シートからなる包囲材１１によって粘土層１３が全体的に覆われた構造を有している。粘土層ブロック９は、図３（Ａ）（Ｂ）及び図４に示すように、有底で底面と上面が正四角形をした多孔性補強シートからなる包囲材１１の中に粘土層１３が通水しないように緻密に詰められ、粘土層１３の表面は、図３（Ａ）（Ｂ）に示すように、有底で底面と上面が正四角形をした包囲材１１の４片の閉塞部分１１ａで覆われている。多孔性補強シートは、例えば合成繊維の織布、合成繊維の不織布または合成繊維によって構成された網状シートからなっている。このような多孔性補強シートは、草本植物ブロック１５の植設マット１７から延び出た草本植物１９の根１９ａが、包囲材１１の内部に入り込むことを許容する構造を有している。
【００２４】
このような河川敷のブランケット構造では、洪水時には草本植物ブロック１５が通水性を有し且つ根１５ａが外部に延び出る構造を有する植設マット１７に草本植物１９を植えた構造で壊れ難く、また草本植物ブロック１５の各根１５ａが粘土層ブロック９の包囲材１１の内部に入り込んで絡まって流出し難く、一方、粘土層ブロック９は粘土層１３の表面を多孔性補強シートからなる包囲材１１によって粘土層１３を全体的に覆っていて粘土層１３が流出し難く、このためブランケット５を洪水で壊れ難くすることができる。特に、底面と上面が正四角形の粘土層ブロック９を、その一辺が例えば５ｍとか１０ｍ程度の寸法にしておくと、内部に多量の粘土層１３が詰められているので、１ブロックが非常に重くなり、洪水時でも流され難くなる。また、ある粘土層ブロック９が壊されて流出しても、その部分に新たな粘土層ブロック９を設置し、その上に草本植物ブロック１５を設置すれば、修復を部分的に容易に行うことができ、工期の短縮を図ることができる。
【００２５】
包囲材１１を構成する多孔性補強シートが、合成繊維の織布、合成繊維の不織布または合成繊維によって構成された網状シートからなっていると、機械的強度があって草本植物１９の根１９ａが通る多孔性補強シートを容易に入手することができる。
【００２６】
この場合、図６に示すように、粘土層１３の厚み方向における所定の位置にベントナイト層２１を、粘土層１３を横切って設けることが好ましい。このようにすると、粘土層１３を緻密に構成しないでも、ベントナイト層２１で透水しないようにすることができる。
【００２７】
次に、このような河川敷のブランケット構造を構成する河川敷のブランケット工法の一例について説明する。
【００２８】
この河川敷のブランケット工法では、図１に示すように、ブランケット５を設ける河川敷３の区域に、ブランケット５の高さに相当する深さを有する窪み区域７を設ける。
【００２９】
図１乃至図４に示すように、該窪み区域７の底部の所定の位置上に、多孔性補強シートで所定の大きさで有底で四角形に構成された有底の包囲材１１を開口状態で配置する。この開口状態の包囲材１１の中に粘土層１３を通水しないように詰める。粘土層１３の表面を、図３（Ａ）（Ｂ）に示すように、包囲材１１の上側の４片からなる閉塞部分１１ａで覆って粘土層ブロック９を構成する。
【００３０】
このように構成した多数の粘土層ブロック９を、図１及び図２に示すように、隣接して配置することにより窪み区域７を塞ぐ。各粘土層ブロック９の上に、図５に示すように、通水性を有し且つ根１９ａが外部に延び出る構造を有する植設マット１７に草本食物１９を植えて構成した１以上の草本植物ブロック１５を、図１、図２及び図４に示すように敷設する。草本植物ブロック１５の植設マット１７から延び出た草本植物１９の根１９ａを、多孔性補強シートを通過させて包囲材１１の内部に入り込ませる。
【００３１】
このようにしてブランケット５を構成すると、洪水で壊れにくいブランケットを容易に製造することができる。
【００３２】
包囲材１１の中に粘土層１３を詰める際に、図６に示すように、該粘土層１３の厚み方向における所定の位置にベントナイト層２１を、粘土層１３を横切って設けると、粘土層１３を緻密に構成しないでも、ベントナイト層２１で透水しないようにすることができ、施工が容易になる。
【００３３】
なお上記例では、底面と上面が正四角形をした包囲材１１について説明したが、この包囲材１１は底面と上面が長方形をした形状、或いは底面と上面が三角形をした形状等であってもよい。
【図面の簡単な説明】
【００３４】
【図１】本発明に係る河川敷のブランケット構造の一例を示す断面図である。
【図２】本例の河川敷のブランケット構造の斜視図である。
【図３】（Ａ）（Ｂ）は本例で用いている粘土層ブロックを構成する過程で包囲材で粘土層の蓋をする前と蓋をした後の斜視図である。
【図４】本例で用いている粘土層ブロックを部分的に破断して示した斜視図である。
【図５】本例で用いている草本植物ブロックの斜視図である。
【図６】粘土層の他の例を示した縦断面図である。
【符号の説明】
【００３５】
１  堤防
１ａ  表法
３  河川敷
５  ブランケット
７  窪み区域
９  粘土層ブロック
１１  包囲材
１１ａ  閉塞部分
１３  粘土層
１５  草本植物ブロック
１７  植設マット
１９  草本植物
１９ａ  根
【図１】
2007154476.tif 000003
【図２】
2007154476.tif 000004
【図３】
2007154476.tif 000005
【図４】
2007154476.tif 000006
【図５】
2007154476.tif 000007
【図６】
2007154476.tif 000008